(57)【特許請求の範囲】
【請求項１】
吊りボルト下部に取り付けられる上板部と、該上板部の両側から垂設されて該上板部の下方で配管抱持部を形成する両側板部とを有して成る配管支持具において、
前記上板部には、該上板部に穿かれた透孔に、該透孔より小さな径を有すると共に下部に該透孔より大きな径を有するスカート状鍔部が形成されたナットが回転可能に下方から装着されており、
両側板部の一方には、組機構或いは蝶番機構により一端が連結された開閉部材が取り付けられており、
両側板部の他方には、前記開閉部材の他端が掛止式で掛止する掛止機構が設けられており、
前記他方の側板部の一部を等分又は不等分し、等分又は不等分した一部で前記掛止機構が形成され、等分又は不等分した残りで前記ナットのスカート状鍔部を下方から支え、上板部からのナットの脱落を防止する舌片状の係止部が形成されていること、
を特徴とする配管支持具。
【請求項２】
前記掛止機構が、開閉部材に切欠き形成又は打ち抜き形成された被掛止部と、該被掛止部に引っ掛かる突起状の掛止部とを有してなる構成であることを特徴とする請求項１に記載の配管支持具。
【請求項３】
ナットのスカート状鍔部を下方から支える舌片状の係止部が、前記他方の側板部の一部を切り起こして形成された構成であることを特徴とする請求項１又は２に記載の配管支持具。
【請求項４】
前記掛止部が、膨大、屈曲、打ち抜きのいずれかの方法により突起状に形成された構成であることを特徴とする請求項１〜３の何れかに記載の配管支持具。
【発明の詳細な説明】
【０００１】
【発明の属する技術分野】
本発明は配管支持具に関し、詳しくは水道管、ガス管、空調用冷熱媒管、電気・通信ケーブル用管などの配管を天井等に吊り下げ支持するのに利用される配管用吊りバンド形式の配管支持具に関するものである。
【０００２】
【従来の技術】
配管用吊りバンドとしては、例えば、実用新案登録第３００１９１４号公報の図８に示す構成のものが広く利用されている。該図８に示す技術は、当該実用新案登録の従来技術であって、このタイプの配管用吊りバンドは、吊りボルトの上端を天井スラブに埋め込んだインサートの雌ネジに固定し、この吊りボルトにナットを介して支持部材であるターンバックルを高さ調節自在に取り付け、更にこのターンバックルの脚部にヒンジ機構で連結されている一対の配管抱持バンドのそれぞれの端部である支持片部をボルト及びナットで締め付けることにより配管を固定する構成である。これまでに、この構成を変形した様々なタイプのものが提案ないし実施されている。
【０００３】
【発明が解決しようとする課題】
実用新案登録第３００１９１４号は、当該公報の図８に示す構成に代表される従来技術の諸欠点を解決するために提案されたものである。
【０００４】
当該実用新案登録第３００１９１４号の技術では、吊りボルトへの螺合を容易とするために、ターンバックル部にナットを回転可能にカシメ止めした構成を有している。
【０００５】
しかし、カシメ止めは機械的強度が低く、吊り下げ支持する配管が水道管や空調用冷熱媒管等のようにウォーターハンマー現象の如き振動を生じる流動体用のものである場合、発生する振動によりカシメ部分が破損する惧れがあった。
【０００６】
配管を抱持支持した配管支持具本体は、カシメ止めされたナットを介して吊りボルトに吊り下げられた状態であるため、配管支持具本体の荷重が掛かるナットのカシメ部分が破損した場合には吊りボルトから配管支持具本体が脱落してしまうこととなる。
【０００７】
また、ナットをカシメ止めするには、配管支持具本体に穿かれた透孔にナットの一部を挿通し、その後、カシメ部分を潰し加工する必要があるので、通常のナット固定による配管支持具よりもコスト高である。
【０００８】
更に、配管支持具に対してナットを遊動状態に回転可能に且つ荷重負荷に対しても強固な状態にカシメ止めするには、カシメ部分の潰し加工の際の潰し加減が難しく、熟練性を要するため、よりコスト高となる。
【０００９】
そこで本発明の課題は、吊りボルトからの脱落の惧れがなく、しかも製造に際して熟練性が要求されることがなく低コスト化が可能な、配管支持具本体に対して遊動状態に回転可能にナットが取付けられた吊りバンド形式の配管支持具を提供することにある。
【００１０】
【課題を解決するための手段】
本発明の上記課題は、下記構成によって達成される。
【００１１】
１．吊りボルト下部に取り付けられる上板部と、該上板部の両側から垂設されて該上板部の下方で配管抱持部を形成する両側板部とを有して成る配管支持具において、
前記上板部には、該上板部に穿かれた透孔に、該透孔より小さな径を有すると共に下部に該透孔より大きな径を有するスカート状鍔部が形成されたナットが回転可能に下方から装着されており、
両側板部の一方には、組機構或いは蝶番機構により一端が連結された開閉部材が取り付けられており、
両側板部の他方には、前記開閉部材の他端が掛止式で掛止する掛止機構が設けられており、
前記他方の側板部の一部を等分又は不等分し、等分又は不等分した一部で前記掛止機構が形成され、等分又は不等分した残りで前記ナットのスカート状鍔部を下方から支え、上板部からのナットの脱落を防止する舌片状の係止部が形成されていること、
を特徴とする配管支持具。
【００１２】
２．前記掛止機構が、開閉部材に切欠き形成又は打ち抜き形成された被掛止部と、該被掛止部に引っ掛かる突起状の掛止部とを有してなる構成であることを特徴とする上記１に記載の配管支持具。
【００１３】
３．ナットのスカート状鍔部を下方から支える舌片状の係止部が、前記他方の側板部の一部を切り起こして形成された構成であることを特徴とする上記１又は２に記載の配管支持具。
【００１５】
４．前記掛止部が、膨大、屈曲、打ち抜きのいずれかの方法により突起状に形成された構成であることを特徴とする上記１〜３の何れかに記載の配管支持具。
【００１６】
【発明の実施の形態】
以下、本発明の具体的構成について説明する。
図１は本発明に係る配管支持具の一実施例を示す斜視図、図２は図１の正面図、図３は図２のＩＩＩ方向から見た要部底面図、図４は配管抱持部の閉鎖過程を示す側面図、図５は他の実施例を示す斜視図、図６は図５の正面図、図７は図６のＶＩＩ方向から見た要部底面図、図８は舌片状の係止部の参考例を示す正面図、図９は図８のＩＸ方向から見た要部底面図、図１０は舌片状の係止部の他の参考例を示す正面図である。
【００１７】
図１〜図４に示す本発明の配管支持具１は、吊りボルトＢの下部に取り付けられる上板部１０と、該上板部１０の両側から垂設されて該上板部１０の下方で配管抱持部を形成する両側板部１１・１２とを有して成る。図４において、Ｐは配管を示す。
【００１８】
上板部１０には、透孔１０Ａが穿かれており、下部にスカート状鍔部Ｓを有するナットＮが回転可能に下方から装着されている。ナットＮ及びスカート状鍔部Ｓと透孔１０Ａの大きさの関係は、ナットＮが透孔１０Ａに挿通された状態で回転可能且つ上方に抜け出ない関係、即ち、ナットＮの直径＜透孔１０Ａの直径＜スカート状鍔部Ｓの直径、となっている。ナットＮとスカート状鍔部Ｓとは強度確保の点等から一体成形されたものであることが好ましい。
【００１９】
他方の側板部１２には、前記ナットＮのスカート状鍔部Ｓを下方から支え、上板部１０からのナットＮの下方への脱落を防止する舌片状の係止部１３が設けられている。舌片状の係止部１３は、図３に示すように、他方の側板部１２を略三等分した両側部分を内側に切り起こすことで形成している。尚、本発明は切り起こしに限らず、他方の側板部１２の一部を屈曲して形成してもよい
【００２０】
以上のようにナットＮが上板部１０に装着されているので、ナットＮは遊動状態に回転可能であると共に、上板部１０の上方へも下方へも脱落の惧れがなく、荷重負荷に対しても強固に対応することができる。
【００２１】
両側板部１１・１２の一方の側板部１１には、蝶番機構１４により一端が連結された開閉部材１５が取り付けられており、他方の側板部１２には、開閉部材１５の他端が掛止式で掛止する掛止機構１６が設けられている。
【００２２】
掛止機構１６は、他方の側板部１２に形成された突起状の掛止部１２Ａと、開閉部材１５に形成された透孔状の被掛止部１５Ａとから構成されるものである。
【００２３】
掛止部１２Ａは図示の如く他方の側板部１２の一部（前述の舌片状の係止部１３を形成した際の中央部分）をロール形状に屈曲することで形成している。尚、本発明は被掛止部１５Ａに引掛け掛止可能な形状及び構成であれば図示のロール形状の屈曲形成に限らず、鉤状に屈曲形成させてもよいし、或いは他方の側板部１２の一部を打ち抜き形成してもよいし、一部を膨大させてもよいし、更には別部材を付加してもよいし、その他の形状・構成を採るようにしてもよい。
【００２４】
被掛止部１５Ａは、掛止部１２Ａが確実に引掛かり掛止して開閉部材１５を確実に閉塞できる構成であればよく、開閉部材１５の当該部分を切欠く又は打ち抜くことで形成される。
【００２５】
以上、図１〜図４に基き本発明に係る配管支持具の一実施例について説明したが、本発明は上記構成に限定されず、例えば、図５〜図１０に示すように、種々の態様を採ることができる。
【００２６】
図５に示すように、他方の側板部１２に２つの掛止部１２Ａ・１２Ａを形成し、開閉部材１５の一部両側を切り欠いて２つの被掛止部１５Ａ・１５Ａを形成してもよい。この場合、他方の側板部１２の一部の残りの部分である舌片状の係止部１３は図７に示すように１つとなる。尚、前述の一実施例及び他の態様では、他方の側板部１２の一部を略三等分し、その１つ又は２つを掛止部１２Ａとし、残りを舌片状の係止部１３としているが、本発明はこれに限らず、略二等分でもよいし、略四等分以上の複数等分でもよいし、さらには等分でなくてもよい。
【００２７】
舌片状の係止部１３の形成位置は、図８及び図９に示す参考例では、一方の側板部１１に切り起こしや折り曲げ構成等によって設けられていてもよい。
【００２８】
また、舌片状の係止部１３は、一方の側板部１１と他方の側板部１２の両方に設けられていてもよい。
【００２９】
一方の側板部１１と開閉部材１５との連結は蝶番式に限らず、組式の組機構であってもよい。
【００３０】
【発明の効果】
本発明によれば、吊りボルトからの脱落の惧れがなく、しかも製造に際して熟練性が要求されることがなく低コスト化が可能な、配管支持具本体に対して遊動状態に回転可能にナットが取付けられた吊りバンド形式の配管支持具を提供することができる。
特に、配管支持具の上板部の透孔より小さな径を有すると共に下部に該透孔より大きな径を有するスカート状鍔部が形成されたナットが回転可能に下方から装着されており、側板部の上位には、前記ナットのスカート状鍔部を下方から支え、上板部からのナットの脱落を防止する舌片状の係止部が設けられた構成を有しているので、該配管支持具の製造に際しては特別な熟練性を要求することなく加工製造することが可能であり、製造された配管支持具は、ナットが遊動状態に回転可能であると共に、上板部の上方へも下方へも脱落の惧れがなく、荷重負荷に対しても強固に対応することができるものとなる。
【図面の簡単な説明】
【図１】本発明に係る配管支持具の一実施例を示す斜視図
【図２】図１の正面図
【図３】図２のＩＩＩ方向から見た要部底面図
【図４】配管抱持部の閉鎖過程を示す側面図
【図５】他の実施例を示す斜視図
【図６】図５の正面図
【図７】図６のＶＩＩ方向から見た要部底面図
【図８】舌片状の係止部の参考例を示す正面図
【図９】図８のＩＸ方向から見た要部底面図
【図１０】舌片状の係止部の他の参考例を示す正面図
【符号の説明】
１ 配管支持具
１０ 上板部
１１ 一方の側板部
１２ 他方の側板部
１２Ａ 掛止部
１３ 舌片状の係止部
１４ 蝶番機構
１５ 開閉部材
１５Ａ 被係止部
１６ 掛止機構
Ｂ 吊りボルト
Ｎ ナット
Ｐ 配管
Ｓ スカート状鍔部
【図１】
0004358477.tif 000002
【図２】
0004358477.tif 000003
【図３】
0004358477.tif 000004
【図４】
0004358477.tif 000005
【図５】
0004358477.tif 000006
【図６】
0004358477.tif 000007
【図７】
0004358477.tif 000008
【図８】
0004358477.tif 000009
【図９】
0004358477.tif 000010
【図１０】
0004358477.tif 000011